(57)【要約】【課題】より小さいスペースで、複数の観察領域にそれぞれ異なる映像を提示すること。【解決手段】複数のプロジェクタから照射される光が複数のアイリス像をアイリス面上に結像するように凹凸が設けられたフレネルレンズと、前記プロジェクタから照射される光を反射する反射体と、を備えるスクリーン。【選択図】図１
2015148710.tif 000002
【特許請求の範囲】
【請求項１】
複数のプロジェクタから照射される光が複数のアイリス像をアイリス面上に結像するように凹凸が設けられたフレネルレンズと、
前記プロジェクタから照射される光を反射する反射体と、
を備えるスクリーン。
【請求項２】
請求項１に記載のスクリーンであって、
前記反射体が前記フレネルレンズの傾斜面に直接形成されたスクリーン。
【請求項３】
請求項１に記載のスクリーンであって、
前記反射体が、表面が平滑な黒色板であるスクリーン。
【請求項４】
請求項１から請求項３のいずれか１項に記載のスクリーンであって、
前記フレネルレンズの傾斜面に縦横異方拡散形状が設けられているスクリーン。
【請求項５】
請求項１から請求項４のいずれか１項に記載のスクリーンであって、
前記フレネルレンズよりも前記プロジェクタに近い位置に、眩輝抑制体が設けられているスクリーン。
【請求項６】
請求項１から請求項５のいずれか１項に記載のスクリーンであって、
前記フレネルレンズとして、光拡散がほとんどないレンズを用いられたスクリーン。
【請求項７】
請求項１から請求項６のいずれか１項に記載のスクリーンと、
前記スクリーンに対して像を照射する複数のプロジェクタと、
を備え、
前記複数のプロジェクタは、それぞれのアイリス像が連続的に重複しないように配置されている多指向映像表示システム。
【発明の詳細な説明】
【技術分野】
【０００１】
本発明は、複数の観察領域にそれぞれ異なる映像を提示する多指向映像表示技術に関する。
【背景技術】
【０００２】
観察者がカメラの向きを操作したり、複数のカメラを切り替えたりすることによって視点位置を変えて観察するための装置は、監視やＷＥＢカメラなど多くの分野で商用化されている。一方、観察者による操作ではなく観察者の視点位置の移動に応じて映像のアングルを変化させる技術が提案されている（例えば、非特許文献１参照）。
【０００３】
非特許文献１に記載の映像表示装置では、観察者の位置と映像とが連動する。そのため、カメラで撮影された映像を直感的かつ高い臨場感や存在感で観察できるという利点がある。一方、非特許文献１に記載の映像表示装置では、カメラ、観察者、表示装置が１対１対１で組み合わされる。そのため、映像表示装置の利用者が一人に限られてしまう。すなわち、多人数で同時に観察できないという問題がある。このような問題を解決するために、多人数で同時に異なる映像を観察可能な多指向映像表示装置が提案されている（例えば、非特許文献２及び３参照）。
【先行技術文献】
【非特許文献】
【０００４】
【非特許文献１】加藤  慶、他２名、可動式カメラによる社会的テレプレゼンスの強    化，情報処理学会論文誌 52(4), 1635-1643, 2011-04-15
【非特許文献２】小澤史朗、他６名「Novel Multi-View Display using QDA Screen with Short Projection Distance by Tiled Image Method」，SID Symposium Digest of Technical Papers, June 2011, Volume 42, Issue 1, pp. 894-897
【非特許文献３】Tohru Kawakami, Takahiro Ishinabe, Mutsumi Sasai, Mitsuru Kano, Yoshito Suzuki, Senshi Nasu, Tatsuya Uchida, Shiro Ozawa, Satoshi Mieda, Yasuhiro Yao, Munekazu Date, Hideki Takada, "Large High-Definition Multiview Display System With Wide Observation Area", Euro Display 2013, (2013.9, London, Great Britain), 28.5L, pp.350-353
【発明の概要】
【発明が解決しようとする課題】
【０００５】
非特許文献２及び３に記載の多指向映像表示装置では、スクリーンの映像を観る人の反対側から映像を投射する必要がある。そのため、スクリーンの背後に投射するためのスペースが発生してしまうという問題があった。
上記事情に鑑み、本発明は、より小さいスペースで、複数の観察領域にそれぞれ異なる映像を提示することが可能な技術を提供することを目的とする。
【課題を解決するための手段】
【０００６】
本発明の一態様は、複数のプロジェクタから照射される光が複数のアイリス像をアイリス面上に結像するように凹凸が設けられたフレネルレンズと、前記プロジェクタから照射される光を反射する反射体と、を備えるスクリーンである。
【０００７】
本発明の一態様は、上記のスクリーンであって、前記反射体が前記フレネルレンズの傾斜面に直接形成されている。
【０００８】
本発明の一態様は、上記のスクリーンであって、前記反射体が、表面が平滑な黒色板である。
【０００９】
本発明の一態様は、上記のスクリーンであって、前記フレネルレンズの傾斜面に縦横異方拡散形状が設けられている。
【００１０】
本発明の一態様は、上記のスクリーンであって、前記フレネルレンズよりも前記プロジェクタに近い位置に、眩輝抑制体が設けられている。
【００１１】
本発明の一態様は、上記のスクリーンであって、前記フレネルレンズとして、光拡散がほとんどないレンズを用いられている。
【００１２】
本発明の一態様は、上記のスクリーンと、前記スクリーンに対して像を照射する複数のプロジェクタと、を備え、前記複数のプロジェクタは、それぞれのアイリス像が連続的に重複しないように配置されている多指向映像表示システムである。
【発明の効果】
【００１３】
本発明により、より小さいスペースで、複数の観察領域にそれぞれ異なる映像を提示することが可能となる。
【図面の簡単な説明】
【００１４】
【図１】本発明の実施形態である多指向映像表示システム１００のシステム構成図である。
【図２】第一実施形態のスクリーン２が備えるフレネルレンズの一部を拡大して表した図である。
【図３】第二実施形態のスクリーン２が備えるフレネルレンズの傾斜面の形態を示した図である。
【図４】第三実施形態のスクリーン２の構成図である。
【図５】第四実施形態のスクリーン２の構成図である。
【図６】第五実施形態のスクリーン２の構成図である。
【図７】第六実施形態のスクリーン２の構成図である。
【発明を実施するための形態】
【００１５】
［システム概略］
図１は、本発明の実施形態である多指向映像表示システム１００のシステム構成図である。多指向映像表示システム１００は、複数のプロジェクタ１及びスクリーン２を備える。多指向映像表示システム１００では、複数のプロジェクタ１から投射された像の光がスクリーン２によって反射されることにより、プロジェクタ１の数に応じた複数のアイリス像３が生成される。アイリス像とは、プロジェクタ１の投射レンズの絞りの開口がレンズや凹面鏡などにより結像された像である。一般的に、アイリス像は開口の像なので平坦である。複数のアイリス像３はスクリーン２から等距離にあり、一つのアイリス面４に含まれる。アイリス面とは、複数のアイリス像がひとつの平面に含まれるとき、その平面を指す。図１において、図示の便宜のため、アイリス面４の一部分を二点鎖線を用いて表している。アイリス面４は、スクリーン２から所定の距離に位置し、スクリーン２に平行な平面である。スクリーン２における反射光によってアイリス面４が生成されるため、プロジェクタ１とアイリス面４とは、スクリーン２に対して同一の方向に位置する。
【００１６】
スクリーン２は、非球面且つ非軸のフレネルレンズを備える。フレネルレンズの凹凸面は、観察者側に設けられる。スクリーン２（例えばフレネルレンズの傾斜面）には反射体を設ける。
複数台のプロジェクタ１は、スクリーン２のフレネルレンズから等距離に配置される。プロジェクタ１から照射された光は、反射体及びフレネルレンズを備えるスクリーン２によって集光される。アイリス面４は、プロジェクタ１の開口（アイリス）のフレネルレンズを介して共役な位置に存在する。プロジェクタ１の開口は、アイリス面４上に結像される。すなわち、ある一つのプロジェクタ１から照射された光は、アイリス面４上のそのプロジェクタに対応するアイリス像３に視点があるときにしか観察できない。そのため、特定の視点位置のみで観察可能な指向性表示を実現することが可能となる。複数のプロジェクタ１を使用し、アイリス面４上でアイリス像３を連続的かつ重複しないように生成することで、多指向映像表示が実現される。
【００１７】
アイリス像３の大きさは、フレネルレンズの像倍率により決定される。そのため、従来の技術では、指向性数の密度を自由に設計することができない。そこで、反射面の表面のトーリック形状を適切に設定することにより、光を適切に縦横に拡散させる。このような作用により、アイリス像３を拡大することが可能となり、より少ない台数のプロジェクタ１によって広い観察範囲の多視点映像表示を実現できる。
【００１８】
また、複数台のプロジェクタ１で等距離から投射すると、プロジェクタ１の開口（アイリス）の像がフレネルレンズを介して共役な位置に生成される。例えば、反射面の表面のトーリック形状を適切に設定することにより、各プロジェクタ１のアイリス像３が連続的かつ重複しないようにできる。そのため、視点位置によって異なった映像を提示可能な多視点映像表示が実現できる。さらに、トートリック形状を適切に形成することによりアイリス像３内の輝度分布をトップハット状にすることで、ぎらつきのない自然な映像表示を実現できる。
【００１９】
また、本実施形態では原理として屈折を利用していない。そのため、色収差のない高画質な映像を表示することができる。
多指向映像表示システム１００が備えるスクリーン２には、複数の実施形態が存在する。以下、スクリーン２の各実施形態について説明する。
【００２０】
［第一実施形態］
図２は、第一実施形態のスクリーン２が備えるフレネルレンズの一部を拡大して表した図である。第一実施形態のスクリーン２が備えるフレネルレンズの傾斜面には反射体が設けられる。フレネルレンズには、フレネルレンズとして機能しない不要面２０１が存在する。フレネルレンズの不要面２０１には光吸収体が設けられる。光吸収体は、例えば黒色の物質を用いて構成されてもよい。スクリーン２がこのように構成されることにより、コントラストが向上する。また、同心円状のエッジが黒色であることにより、ホットバーが抑制され表示画像の品質が向上する。
【００２１】
［第二実施形態］
図３は、第二実施形態のスクリーン２が備えるフレネルレンズの傾斜面の形態を示した図である。第二実施形態のスクリーン２が備えるフレネルレンズの傾斜面には反射体が設けられる。フレネルレンズの反射面の表面は、二次元トーリック形状２０２を具備する。このように、第二実施形態では傾斜面の表面構造が非平滑である。このように構成されたフレネルレンズの反射面は、上下左右に異方性トップハット拡散を実現する。また、フレネルレンズの円弧状のエッジ部分が波打つ形状であるため、ホットバーを回避できる。
なお、第二実施形態において、第一実施形態のように不要面２０１に光吸収体が設けられてもよい。このように構成されることにより、第一実施形態と同様の効果を得ることが可能となる。
【００２２】
［第三実施形態］
図４は、第三実施形態のスクリーン２の構成図である。
フレネルレンズ２１１の前面には、縦横異方拡散ＤＬＣ（Diffused Light Control）フィルム２１２が設けられる。縦横異方拡散用ＤＬＣフィルム２１２の前面（スクリーン２の最表面）には、表面形状拡散フィルム（ＡＧフィルム）２１３が設けられる。
【００２３】
第三実施形態では、フレネルレンズ２１１の表面が平滑である。フレネルレンズ２１１の前面に縦横異方拡散用ＤＬＣフィルム２１２が設けられることにより、所定量の光が拡散され、複数のアイリス像３が形成される。縦横異方拡散用ＤＬＣフィルム２１２の表面が平面であるため、プロジェクタ１の直接反射光による、輝点（ホットスポット）と反射フレネルエッジによるホットバーとが発生するおそれがある。この問題を解決するため、表面形状拡散フィルム２１３が眩輝抑制体としてスクリーン２の最表面に設けられている。このように構成されることにより、良好な表示画像を得ることが可能となる。
【００２４】
なお、フレネルレンズ２１１の傾斜面に縦横異方拡散ＤＬＣフィルム２１２を設ける構成は、他の実施形態において採用されてもよい。そのように構成されることにより、拡散効果を高めることが可能である。また、拡散効果を高められることによりアイリス像３を所望の範囲まで広げることが可能である。そのため、設計の自由度が高まるという効果も得られる。
【００２５】
［第四実施形態］
図５は、第四実施形態のスクリーン２の構成図である。
平面鏡２２１の前面に、縦横異方拡散ＤＬＣフィルム２２２が設けられる。縦横異方拡散ＤＬＣフィルム２２２の前面に、透明なフレネルレンズ２２３が設けられる。フレネルレンズ２２３の前面（スクリーン２の最表面）に、表面形状拡散フィルム（ＡＧフィルム）２２４が設けられる。
縦横異方拡散ＤＬＣフィルム２２２が設けられることにより、所定量の光が拡散され、複数のアイリス像３が形成される。
【００２６】
もし、スクリーン２の最表面がフレネルレンズ２２３であると、フレネルレンズ２２３の表面が平面であるため、プロジェクタ１の直接反射光による輝点（ホットスポット）が発生するおそれがある。この問題を解決するため、表面形状拡散フィルム２２４が眩輝抑制体としてスクリーン２の最表面に設けられている。このように構成されることにより、良好な表示画像を得ることが可能となる。
【００２７】
第四実施形態では、フレネルレンズ２２３を光が２回通過する。そのため、拡散がほとんど無い透明度の高いフレネルレンズ２２３を用いることによって、画質が向上させることが可能となる。
なお、スクリーン２の前面に眩輝抑制体を設ける構成は、他の実施形態において採用されてもよい。そのように構成されることにより、画質を向上させることが可能である。
【００２８】
第一実施形態のように傾斜面に反射体が設けられ且つフレネルレンズの凹凸面がプロジェクタ１側に設けられる場合、平坦面がなくホットスポットが表れにくい構造となる。そのため、画質向上の効果は限定的となるが、フレネルレンズの傾斜面による鏡面反射による輝点を抑制することができる。
【００２９】
また、光拡散がほとんど無い透明度の高いフレネルレンズを用いる構成は、他の実施形態において採用されてもよい。そのように構成されることにより、画質を向上させることが可能である。
また、図５ではフレネルレンズ２２３と平面鏡２２１の鏡面と間の距離は縦横異方拡散ＤＬＣフィルム２２２の厚さに一致しているが、この距離をより大きくしてもよい。たとえば、フレネルレンズ２２３と平面鏡２２１との間に空隙が設けられてもよい。空隙の間隔を調整することにより、フレネルレンズ２２３の合成焦点距離を変え、アイリス像３の位置を調整することができる。
【００３０】
［第五実施形態］
図６は、第五実施形態のスクリーン２の構成図である。
平面鏡２３１の前面に、フレネルレンズ２３２が設けられる。フレネルレンズ２３２の前面（スクリーン２の最表面）に、眩輝抑制体である表面形状拡散フィルム２３３が設けられる。
【００３１】
もし、スクリーン２の最表面がフレネルレンズ２３２であると、フレネルレンズ２３２の表面が平面であるため、プロジェクタ１の直接反射光による輝点（ホットスポット）が発生するおそれがある。この問題を解決するため、表面形状拡散フィルム２３３が眩輝抑制体としてスクリーン２の最表面に設けられている。このように構成されることにより、良好な表示画像を得ることが可能となる。
【００３２】
また、表面形状拡散フィルム２３３の異方拡散の量にあわせてプロジェクタ１の位置を設定することにより、アイリス像３を連続的かつ重複しないように生成しマルチ結像アイリス面４を形成することが可能となる。
【００３３】
第五実施形態では、フレネルレンズ２３２を光が２回通過する。そのため、拡散がほとんど無い透明度の高いフレネルレンズ２３２を用いることによって、画質を向上させることが可能となる。
【００３４】
第五実施形態では、２つの機能を表面形状拡散フィルム２３３で兼ねている。そのため、低い価格でスクリーン２を製造することが容易となる。また、表面形状拡散フィルム２３３上にフレネルレンズ２３２の形状をＵＶ転写することによってフレネルレンズ２３２が形成されてもよい。このようにフレネルレンズ２３２が形成されることにより、平面鏡２３１にフィルムをはるだけでスクリーン２を作成することが可能となる。
また、拡散体が一枚のみであり、鋭い指向性を得ることが容易である。そのため、損失が少なく、効率や指向性密度を向上させることが可能である。
また、図６ではフレネルレンズ２３２と平面鏡２３１の鏡面とは密着しているが、フレネルレンズ２３２と平面鏡２３１との間に空隙が設けられてもよい。空隙の間隔を調整することにより、フレネルレンズ２３２の合成焦点距離を変え、アイリス像３の位置を調整することができる。
【００３５】
［第六実施形態］
図７は、第六実施形態のスクリーン２の構成図である。
黒色の板２４１（例えば、アクリル製の板）の前面に、フレネルレンズ２４２が設けられる。フレネルレンズ２４２の前面（スクリーン２の最表面）に、表面形状拡散フィルム２４３が設けられる。
【００３６】
黒色の板２４１は、表面が平滑な黒色の物質で構成される。黒色の板２４１は、第四実施形態における平面鏡２２１及び第五実施形態における平面鏡２３１と同趣旨の役割を果たす。すなわち、黒色の板２４１は、フレネルレンズ２４２を前面側から通過した光を反射する。このように構成された第六実施形態では、平面鏡が用いられる第四実施形態及び第五実施形態に比べて光効率は低下するものの、背景が黒色であるため高コントラスト化を実現できる。
また、図７ではフレネルレンズ２４２と平面鏡２４１の鏡面とは密着しているが、フレネルレンズ２４２と平面鏡２４１との間に空隙が設けられてもよい。空隙の間隔を調整することにより、フレネルレンズ２４２の合成焦点距離を変え、アイリス像３の位置を調整することができる。
【００３７】
［変形例］
スクリーン２が備えるフレネルレンズは、必ずしも非球面かつ非軸である必要は無い。フレネルレンズを非軸であるように構成するか否かは、プロジェクタ１及びアイリス像３の位置関係に応じて決定してもよい。プロジェクタ１の鏡像とフレネルレンズのレンズ中心とを結ぶ直線上にアイリス像３が結像される。そのため、フレネルレンズが非軸でない場合は、プロジェクタ１の近傍にアイリス像３が生成される。つまり、フレネルレンズが非軸でない場合、スクリーン２によるプロジェクタ１の光源の鏡面反射がアイリス像３と同軸になる。そのため不都合が生じる可能性がある。また、大面積（フレネルレンズの直径が大きい）場合、収差によりアイリス像３が不明瞭となる。そのため、フレネルレンズは非球面として構成されることが望ましい。ただし、スクリーン２が小型であり投射距離が長い場合には、フレネルレンズは球面であってもアイリス像３を十分明瞭に生成可能である。以上のとおり、フレネルレンズに非球面構造を採用することで、有効に特性向上を図ることが可能である。
【００３８】
スクリーン２のフレネルレンズにおける凹凸面は、観察者と反対側に設けられてもよい。この場合、フレネルレンズの平坦面での屈折により色収差が発生する。しかしながら、実効的なフレネルレンズの焦点距離を短くできるため、短い投射距離で大画面の表示が容易となる。さらに、フレネルレンズの傾斜面の傾斜角が小さくなるため、スクリーン２に対し平行に近い角度でプロジェクタ１から投射することも可能となる。
【００３９】
フレネルレンズにおける凹凸面が観察者と反対側に設けられる場合、第五実施形態では、フレネルレンズ２３２の平滑面に反射体を設けることで構成を簡素化することができる。
【００４０】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行っても良い。
【産業上の利用可能性】
【００４１】
複数の位置にそれぞれ異なる映像を提供するシステムに適用可能である。
【符号の説明】
【００４２】
１…プロジェクタ，  ２…スクリーン，  ３…アイリス像，  ４…アイリス面，  ２０１…不要面，  ２０２…二次元トーリック形状，  ２１１…フレネルレンズ，  ２１２…縦横異方拡散ＤＬＣフィルム，  ２１３…表面形状拡散フィルム，  ２２１…平面鏡，  ２２２…縦横異方拡散ＤＬＣフィルム，  ２２３…フレネルレンズ，  ２２４…表面形状拡散フィルム，  ２３１…平面鏡，  ２３２…フレネルレンズ，  ２３３…表面形状拡散フィルム，  ２４１…黒色の板，  ２４２…フレネルレンズ，  ２４３…表面形状拡散フィルム
【図１】
2015148710.tif 000003
【図２】
2015148710.tif 000004
【図３】
2015148710.tif 000005
【図４】
2015148710.tif 000006
【図５】
2015148710.tif 000007
【図６】
2015148710.tif 000008
【図７】
2015148710.tif 000009